(57)【特許請求の範囲】
【請求項１】
防災用のヘルメットにおいて、
植木鉢又は容器のカバーとして使用できるものであり、
硬質樹脂製の定形であって外周面頂部が円弧状である帽体と、帽体内の着装体と、帽体の前記外周面頂部の外側に設けられた安定カバーと、植木鉢又は容器を支持する受け部を備え、
安定カバーは設置部の上に設置する設置面が水平又は略水平であり、
受け部は帽体の内周面の全周又は周方向二以上の箇所又は帽体の内面にあり、当該全周又は周方向二以上の箇所の受け部は帽体の内周面から着装体側に突出しており、前記いずれの受け部も着装体の内側空間に収容した植木鉢又は容器を取外し可能に支持できる、
ことを特徴とする防災用ヘルメット。
【請求項２】
請求項１記載の防災用ヘルメットにおいて、
着装体が顎紐を備え、
顎紐は長さ調節可能なアジャスタ機能を備えた、
ことを特徴とする防災用ヘルメット。
【請求項３】
請求項１又は請求項２記載の防災用ヘルメットにおいて、
受け部は着装体を取り付けることもできる、
ことを特徴とする防災用ヘルメット。
【請求項４】
請求項１から請求項３のいずれか１項に記載の防災用ヘルメットにおいて、
安定カバーが帽体と一体又は帽体に脱着可能である、
ことを特徴とする防災用ヘルメット。
【請求項５】
ヘルメットを容器のカバーとし、そのカバーの内側に容器が収容された防災用具であり、
ヘルメットは請求項１から請求項４のいずれか１項に記載の防災用ヘルメットであり、
容器は有底の収容凹部と、収容凹部に内容物を出し入れ可能な上方開口部と、有底の収容凹部の外側から前記上方開口部と反対側に突出する支持部を備えており、支持部は前記収容凹部をヘルメットの着装体の内側空間内に収容すると前記ヘルメットに支承されるように突出している、
ことを特徴とするヘルメットを備えた防災用具。
【発明の詳細な説明】
【技術分野】
【０００１】
本発明は防災用ヘルメットと、ヘルメットを備えた防災用具に関するものである。
【背景技術】
【０００２】
会社、病院、養護施設、役所等の各種施設、個人の家庭では、地震、津波等の発生に備えて、ヘルメットをはじめとする各種防災用具を常備していることが多い。特に、阪神淡路大震災、東日本大震災後は、国民の防災意識の高まりから、防災用具の常備が普及している。
【０００３】
通常のヘルメットは嵩張るため、身の回りに常備しておくと場所を取り、日常作業の邪魔になり易い。このため、ロッカーや棚などに収納しておくことが多く、収容場所を忘れるとか、収容場所は分かっていても取り出して着用するまでに時間が掛かる、緊急事態発生時に着用しにくいといったことがある。
【０００４】
近年は、場所を取らず、身近に置いても邪魔にならない折り畳み式のヘルメットが開発されている（例えば、特許文献１〜３）。
【先行技術文献】
【特許文献】
【０００５】
【特許文献１】特開２０１５−０６１９５６号公報
【特許文献２】特開２０１５−０２８２３３号公報
【特許文献３】特開２０１４−２３４５６２号公報
【発明の概要】
【発明が解決しようとする課題】
【０００６】
特許文献１〜３のヘルメットは、不使用時の保管には場所をとらないが、使用できる状態に組み立てるのに時間がかかるとか、構造が複雑であるとか、強度が必ずしも十分でないといった難点がある。
【課題を解決するための手段】
【０００７】
本発明の課題は、既存のヘルメットと同様に一定の形状（以下「定形」という。）であるが、身近に置いても邪魔になりにくく、室内のインテリアとしても使用でき、緊急時に簡易迅速に着用可能な防災用ヘルメットと、そのヘルメットを備えた防災用具を提供することにある。
【０００８】
［防災用ヘルメット］
本発明の防災用ヘルメットは、植木鉢のカバーとして使用できるものであり、硬質樹脂製であって定形である帽体の内側に、頭に載せる着装体を備えたヘルメットである。着装体はハンモックとヘッドバンドを備え、必要に応じて顎紐を備える。ハンモックとヘッドバンドで囲まれた内側空間に植木鉢を収容することができる。帽体は外周面頂部が円弧状であり、頂部の外側に安定カバーを備えている。安定カバーは水平又は略水平な設置面を備えており、帽体を上下逆さにして設置面を床やテーブル等に水平又は略水平に設置できるようにしてある。帽体の内側には着装体の内側空間に収容する植木鉢を支持できる受け部がある。
【０００９】
植木鉢は既存の植木鉢でも使用可能であるが、本発明のヘルメット専用の植木鉢が適する。専用のヘルメットは前記受け部に支持できる支持部を備えたものがよい。
【００１０】
［防災用具］
本発明の防災用具は、前記防災用ヘルメットと容器を備え、上下逆さにして開口部を上向きにしたヘルメットの内部に容器を収容したものであり、ヘルメットを容器収容カバーとしたものである。
【００１１】
容器は飲食料品や衣類等の防災用品を収容できるものであり、既存の容器であっても本発明専用の容器であってもよい。専用の容器の場合はヘルメットの前記受け部の上に設置することのできる支持部を備えたものがよい。
【発明の効果】
【００１２】
本発明の防災用ヘルメットは次のような効果がある。
（１）平常時（不使用時）は、ヘルメットを植木鉢の鉢カバーとして使用することができるため、身近に置いても邪魔にならず、室内に保管専用のスペースを必要としない。
（２）緊急時は、ヘルメット内に収容してある植木鉢を取り出して、そのまま被ることができるため簡易迅速に着用できる。
（３）ヘルメットの外周面頂部が円弧状であるため、落下物が当たっても、荷重が分散され、衝撃が低減する。
（４）ヘルメットの円弧状の頂部の外側に安定カバーがあるため、平常時は安定部を床面やテーブル等の上に設置して植木鉢を水平又は略水平に支持することができる。
（５）ヘルメットの外観をおしゃれなデザイン、色彩等にすれば、植木鉢のカバーとして使用しても体裁が良く、室内のインテリアとしても使用できる。
（６）顎紐が樹脂製バンドの場合は、不使用時に、ヘッドバンドの内側或いは外側に収容できるので、植木鉢を収容する際に邪魔にならない。
（７）顎紐がアジャスタ機能を備えている場合は、使用者の顔の大きさに合わせて顎紐を長さ調節でき、多くの人が使用できる。
【００１３】
本発明のヘルメットを備えた防災用具は次のような効果がある。
（１）緊急時に、ヘルメットの着装部の内側空間に収容してある容器を取り外すだけで、ヘルメットを着用できるので、緊急時に簡易迅速にヘルメットを使用できる。
（２）ヘルメットと防災用品をまとめて室内に常備しておくことができるため、緊急事態発生時にヘルメットと防災用品の双方を使用でき、防災対策に便利である。
【図面の簡単な説明】
【００１４】
【図１】本発明の防災用ヘルメットの使用例を示す説明図。
【図２】本発明の防災用ヘルメットであって、植木鉢を取り出した状態の説明図。
【図３】本発明の防災用ヘルメットの着用例を示す説明図。
【図４】本発明の防災用ヘルメットを下方から見た状態の説明図。
【図５】（ａ）は本発明の防災用ヘルメットの断面図、（ｂ）は本発明の防災用ヘルメットにおける植木鉢の他例の断面図
【図６】本発明の防災用ヘルメットを裏側から見た平面図。
【図７】（ａ）は本発明の防災用ヘルメットであって、顎紐を回動可能に取り付けた場合の側方説明図、（ｂ）は顎紐部分の正面図。
【図８】（ａ）は本発明の防災用ヘルメットを備えた防災用具の断面図、（ｂ）は本発明の防災用具の容器の一例を示す説明図。
【発明を実施するための形態】
【００１５】
（防災用ヘルメットの実施形態１）
本発明の防災用ヘルメットの一例を図面に基づいて説明する。図１、図２のように、本発明の防災用ヘルメット１は植木鉢２のカバーとして使用できるものであり、緊急時にはヘルメット１から植木鉢２を取り出して、図３のようにヘルメット１を頭に被ることができるものである。
【００１６】
［ヘルメット］
図１に示す防災用ヘルメット１は、図４に示すように、帽体３と頭に被せる着装体４を備える。着装体４はハンモック５とヘッドバンド６で構成される。必要に応じて顎紐７（図３）を設けることもできる。
【００１７】
帽体３と着装体４の間には、既存のヘルメットと同様に隙間８（図５（ａ））が確保されている。帽体３の外側に安定カバー９（図１、図５（ａ））がある。安定カバー９は帽体３と一体であっても、着脱可能であってもよい。安定カバー９の外面中央部は水平又は略水平な設置面９ａ（図１、図５（ａ））である。この設置面９ａは床やテーブル等の設置部の上に水平又は略水平に設置することができる。
【００１８】
［帽体］
帽体３は硬質樹脂製であり、既存のヘルメットの帽体と同様に、内側に衝撃吸収ライナー（図示せず）を備えたものが望ましい。図４に示すように、帽体３の内周面四箇所には受け部１０がある。いずれの受け部１０も筒状であり、同じ長さであり、帽体３の内側に横向きに水平に突設されている。これら受け部１０には着装体４の内側空間１１（図５（ａ））内に収容した植木鉢２の支持部１２（図５（ａ））を載せて支持することができる。
【００１９】
前記受け部１０（図４、図５（ａ））は植木鉢２の周縁部１３（図５（ａ））の全周下方にリング状に突設されている。受け部１０は支持部１２を支持できる任意の形状、構造とすることができる。例えば、支持部１２が棒状の場合はそれを差込み可能な穴とか縦向きの筒状とすることができる。それら穴とか筒の数も任意数とすることができる。
【００２０】
［着装体］
前記着装体４は既存のヘルメットの着装体と同様に、着用者の頭の上に被さるハンモック５（図４）と頭の外周に被さるヘッドバンド６（図４）を備えている。図４に示すハンモック５は中央部１４の外周四方にバンドアーム１５が延びている。図４に示すヘッドバンド６は着用者の頭の後部外周から側面外周まで被せることのできる長さのリング状である。ヘッドバンド６の両端部６ａ（図４）の間は空間１６（図４）になっている。図４に示すように、各バンドアーム１５とヘッドバンド６はそれらに開口されている孔から前記四箇所の受け部１０に止めピン１７（図４、図５（ａ））を差込んで取り付けてある。
【００２１】
［顎紐］
本発明では空間部１６（図４）に顎紐７（図３、図６）を設けることができる。図３、図６の顎紐７は二本の顎バンド７ａ（図６）をカシメ具とか他の連結具１８（図６）により、図７（ａ）の矢印ａ−ｂ方向（上下方向）に回動可能に取り付けてある。顎紐７は図３のように着用時に着用者の顎の下に係止する。
【００２２】
図３に示す顎紐７は樹脂製の二本の顎バンド７ａを、ヘッドバンド６（図６）に回動可能に連結してあり、下方に回動させた二本の顎バンド７ａを図３のように顎の下で重ねて、顎バンド７ａに設けてある連結具（例えば、マジックバンド）で連結できるようにしてある。
【００２３】
顎紐７は図７（ａ）（ｂ）のように、樹脂製の一本の顎バンド７ａを半円状或いは略半円状にして、ヘッドバンド６に鳩目等の連結具１８で回動可能に連結しておくこともできる。
【００２４】
顎紐７は二本の場合も一本の場合も、平常時は図７（ａ）の矢印ａ方向に回動させてヘッドバンド６の内側或いは外側に収容しておくことができ、着用時に図７（ａ）の矢印ｂ方向に回動させて着用者の顎の下に係止できるようにしてある。
【００２５】
顎紐７が一本の場合は長さ調節機能（アジャスタ：図示せず）を設けることができる。アジャスタ機能は顎紐７の長さ調節が可能であればどのような調節機能であってもよい。顎紐７は既存のヘルメットの顎紐と同様に布製の紐であって、長さ調節できるものであってもよい。
【００２６】
［植木鉢］
本発明で使用可能な植木鉢２は既存の植木鉢であってよいが、本発明専用の形状、構造の植木鉢であってもよい。専用の植木鉢の場合は、ヘルメット１の着装体４内に収容可能な形状、構造、サイズであって、帽体３の受け部１０（図５（ａ））の上にセットすることのできる支持部１２を備えたものとする。その支持部１２は植木鉢２の上方開口部全周にリング状に設けて、ヘルメット１の開口縁全周にかぶせることができるようにして、ヘルメット１内に塵芥が入らないようにするのが望ましい。
【００２７】
（防災用ヘルメットの実施形態２）
［受け部］
図６では受け部１０を帽体３の四箇所に設けてあるが、帽体３の内面全周に設けることもできる。可能であれば、帽体３の頂部内面１９（図５（ａ））を受け部１０とすることもできる。この場合は、図５（ａ）に仮想線で示すように、支持部１２を植木鉢２の底から下方に突出する細長い棒状にし、それを帽体３の頂部内面１９（受け部１０）で支持できるようにする。この場合の支持部１２は受け部１０で支持した際の安定性の面から三本以上設けるのがよい。支持部１２は細長い棒状ではなく、縦長の筒状とか、受け部１０で支持できるその他の形状、構造とすることができる。
【００２８】
（防災用ヘルメットの実施形態３）
［植木鉢］
実施形態１の植木鉢２（図５（ａ））は水抜き穴がないが、必要に応じて図５（ｂ）のように水抜き穴２０を設けることもできる。ヘルメットは頭に被るものであるため、着装体４の内側空間１１内に植木鉢２を収容しても、帽体３及び着装体４の内部が汚れないようにする。そのため、植木鉢２の底に水抜き穴２０を開口した場合は、植木鉢２の底に受け皿２１を設けて、水抜き穴２０から流出する水を貯留できるようにし、着装体４が汚れないようにする。植木鉢２も室内に常備しておくのに適したデザイン、色彩等とするのが望ましい。
【００２９】
（防災用具の実施形態）
本発明の防災用具はヘルメット１を容器カバーとして使用したものである。防災用ヘルメットでは、ヘルメット１の着装体４の内側空間に植木鉢２を収容したものであるが、この実施形態の防災用具の場合は着装体４の内側に、前記植木鉢２に代えて図８（ａ）のように容器２５を収容したものである。この容器２５内は飲食料品、衣類といった防災用品を収容することができる収容凹部３０を備えたものである。この防災用具のヘルメット１には実施形態１の防災用ヘルメットを使用することができる。この場合、ヘルメット１の安定カバー９を下にしてヘルメット１を上向きにし、ヘルメット１の着装体４の内側空間内に容器２５を収容する。ヘルメット１は室内に常備しても違和感のない形状、デザイン、色彩のものが望ましい。
【００３０】
容器は着装体４の内側空間内に収容できる形状、サイズであれば既存の容器でも使用可能であるが、本発明専用の容器とすることもできる。図８（ｂ）に示す容器２５は本体２６と蓋２７を備え、蓋２７を閉めると本体２６内に収容した内容物が飛び出したり落下したりしないものが望ましい。図８（ｂ）の容器２５は本体２６の周縁部２８に支持部２９を設け、その支持部２９をヘルメット１の帽体３の受け部１０に載せることができるようにしてある。支持部２９は着装体４も帽体３も汚すことなくヘルメット１に支持できれば、他の形状、構造であってもよい。蓋２７は本体２６にヒンジとかその他の連結具で開閉可能に連結したものであってもよい。容器は室内に常備しても違和感のない形状、デザイン、色彩のものが望ましい。
【符号の説明】
【００３１】
１  防災用ヘルメット（ヘルメット）
２  植木鉢
３  帽体
４  着装体
５  ハンモック
６  ヘッドバンド
６ａ  （ヘッドバンドの）両端部
７  顎紐
７ａ  顎バンド
８  （帽体と着装体の間の）隙間
９  安定カバー
９ａ  （安定カバーの）設置面
１０  受け部
１１  （着装体の）内側空間
１２  支持部
１３  （植木鉢の）周縁部
１４  （ハンモックの）中央部
１５  （ハンモックの）バンドアーム
１６  （ヘッドバンド両端の）空間
１７  止めピン
１８  連結具
１９  （帽体の）頂部内面
２０  水抜き穴
２１  受け皿
２５  容器
２６  （容器の）本体
２７  （容器の）蓋
２８  （容器の）周縁部
２９  （容器の）支持部
３０ 収容凹部
【図１】
0006751572.tif 000002
【図２】
0006751572.tif 000003
【図３】
0006751572.tif 000004
【図４】
0006751572.tif 000005
【図５】
0006751572.tif 000006
【図６】
0006751572.tif 000007
【図７】
0006751572.tif 000008
【図８】
0006751572.tif 000009